(57)【要約】【課題】良好なコントラスト特性であり、かつ表示不良が防止された液晶装置と、その製造方法を提供する。【解決手段】本発明の液晶装置（透過型液晶装置）１は、第１基板１０と、これに対向する第２基板２０と、これら基板間に液晶層５０とを備え、液晶層５０は初期配向状態が垂直配向でありかつ誘電体異方性が負の液晶によって形成されている。また、画素電極９と対応する位置に画素領域Ｐと、この画素領域Ｐ間に遮光領域ＢＭとを有し、画素電極９の周縁部９ｂは、遮光領域ＢＭに張り出している。画素領域Ｐ全体を含み、かつ画素電極９上をこえない範囲に、液晶５１を垂直配向させた第１のエリアＡ１が形成され、遮光領域ＢＭには、液晶５２を水平配向させた第２のエリアＡ２が形成され、この第２のエリアＡ２は、画素電極９の遮光領域ＢＭに張り出した周縁部９ｂ上に形成されている。【選択図】図３
2008233891.tif 000002
【特許請求の範囲】
【請求項１】
複数の画素電極を有する第１基板と、該第１基板に対向して配置される第２基板と、前記第１基板および前記第２基板間に挟持される液晶層と、を備える液晶装置であって、
前記第１基板には、前記画素電極に対応する部分に液晶を垂直配向させる垂直配向膜を有する垂直配向部が設けられるとともに、該垂直配向部同士の間に前記液晶を水平配向させる水平配向膜を有する水平配向部が設けられ、
前記第２基板には、前記垂直配向部及び前記水平配向部に対応する領域に共通して前記液晶を垂直配向させる共通垂直配向膜を有する共通垂直配向部が設けられることを特徴とする液晶装置。
【請求項２】
前記水平配向部は、前記液晶にプレチルト角を与えるように前記水平配向膜が設けられることを特徴とする請求項１記載の液晶装置。
【請求項３】
前記プレチルト角は、基板面に対して４０度以下であることを特徴とする請求項２記載の液晶装置。
【請求項４】
前記垂直配向部の前記垂直配向膜と前記共通垂直配向部の前記共通垂直配向膜とは同一の配向膜で設けられることを特徴とする請求項１〜請求項３のいずれか１項に記載の液晶装置。
【請求項５】
前記垂直配向部は、前記垂直配向膜が前記画素電極の領域よりも小さい領域に設けられることを特徴とする請求項１〜請求項４のいずれか１項に記載の液晶装置。
【請求項６】
前記水平配向部は、前記水平配向膜の一部が前記画素電極上に配置された状態で設けられることを特徴とする請求項５記載の液晶装置。
【請求項７】
前記共通垂直配向部は、前記共通垂直配向膜が非表示領域まで延在する状態で設けられることを特徴とする請求項１〜請求項６のいずれか１項に記載の液晶装置。
【請求項８】
前記垂直配向部の前記垂直配向膜及び前記共通垂直配向部の前記共通垂直配向膜のそれぞれは、側鎖に垂直配向性を示すアルキル鎖を含むポリイミド、もしくは前記画素電極の表面を炭素数が１０以上の直鎖アルキル基を有するシランカップリング剤で表面処理したもの、または無機材料の薄膜形成により垂直配向性を持たせたものであることを特徴とする請求項１〜請求項７のいずれか１項に記載の液晶装置。
【請求項９】
前記水平配向部の前記水平配向膜は、水平配向性を示すポリイミド、もしくは前記画素電極の表面を炭素数が１０以下の直鎖アルキル基を有するシランカップリング剤で表面処理したもの、または無機材料の薄膜形成により水平配向性を持たせたものであることを特徴とする請求項１〜請求項８のいずれか１項に記載の液晶装置。
【請求項１０】
前記第１基板及び前記第２基板の外側に配置された互いの遅相軸が直交するように配置された一対の１／４波長板と、
前記一対の１／４波長板の外側に前記一対の１／４波長板の遅相に対して透過軸が４５°の角度をなし、かつ互いの偏光版の透過軸が直交するように配置された偏光板と、を有することを特徴とする請求項１〜請求項９のいずれか１項に記載の液晶装置。
【請求項１１】
複数の画素電極を有する第１基板と、該第１基板に対向して配置される第２基板と、前記第１基板および前記第２基板間に挟持される液晶層と、を備える液晶装置の製造方法であって、
前記第１基板の前記画素電極に対応する部分に、前記液晶を垂直配向させる垂直配向膜を有する垂直配向部を設ける垂直配向部形成工程と、
前記第１基板の前記垂直配向部同士の間に、前記液晶を水平配向させる水平配向膜を有する水平配向部を設ける水平配向部形成工程と、
前記第２基板の、前記第１垂直配向部及び前記水平配向部に対応する領域に共通して前記液晶を垂直配向させる共通垂直配向膜を有する共通垂直配向部を設ける共通垂直配向部形成工程と、を有することを特徴とする液晶装置の製造方法。
【請求項１２】
前記垂直配向部形成工程は、前記垂直配向膜を、シランカップリング剤の表面処理によって垂直配向性を持たせるように形成することを特徴とする請求項１１記載の液晶装置の製造方法。
【請求項１３】
前記垂直配向部形成工程は、前記垂直配向膜を、インクジェット法により膜材料を吐出することで形成することを特徴とする請求項１１記載の液晶装置の製造方法。
【請求項１４】
前記垂直配向部形成工程は、前記垂直配向膜を、無機材料を真空プロセスにより成膜して無機配向膜を形成した後、フォトプロセスを経てエッチングによりパターニングすることで形成することを特徴とする請求項１１記載の液晶装置の製造方法。
【請求項１５】
前記水平配向部形成工程は、前記水平配向膜を、感光性ポリイミドを塗布した後にフォトプロセスによってパターニングするか、またはインクジェット法によりポリイミド溶液を吐出して、ラビング処理もしくはイオンビーム法により配向情報を付与することで形成することを特徴とする請求項１１〜請求項１４のいずれか１項に記載の液晶装置の製造方法。
【請求項１６】
前記共通垂直配向部形成工程は、前記共通垂直配向膜を、ポリイミド溶液をスピンコート法もしくはインクジェット法により形成することを特徴とする請求項１１〜請求項１５のいずれか１項に記載の液晶装置の製造方法。
【請求項１７】
前記共通垂直配向部形成工程は、前記共通垂直配向膜を、無機材料を真空プロセスにより成膜して形成することを特徴とする請求項１１〜請求項１５のいずれか１項に記載の液晶装置の製造方法。
【請求項１８】
前記共通垂直配向部形成工程は、前記共通垂直配向膜を、シランカップリング剤の表面処理によって垂直配向性を持たせるように形成することを特徴とする請求項１１〜請求項１５のいずれか１項に記載の液晶装置の製造方法。
【発明の詳細な説明】
【技術分野】
【０００１】
本発明は、液晶装置とその製造方法に関する。
【背景技術】
【０００２】
液晶装置を用いて映像を大画面に表示する装置として液晶プロジェクタがある。プロジェクタにおいては高輝度、高コントラストが要求されており、その点、垂直配向方式の液晶装置は高コントラストの表示が可能で、近年、プロジェクタ用の液晶装置の液晶配向方式として採用されつつある。
【０００３】
しかし、垂直配向方式では液晶が基板表面に対して垂直に立っており、電圧印加時に倒れる方位方向での相互作用が弱い。しかも、画素電位を印加すると、画素電極端から基板面に平行な方向に、横方向の電界が発生する。そのため、この横方向の電界に起因して、液晶が様々な方向に倒れてしまい、ディスクリネーションを生じることがあった。ディスクリネーションが生じると、明暗のムラやコントラストの低下、残像等の表示欠陥が視認されてしまう。
【０００４】
そのため、画素領域では液晶を垂直配向させて、良好なコントラスト特性を確保し、画素領域周辺の、主に非表示領域では液晶を水平配向させ、液晶の配向を規制することでディスクリネーションを防止することが考えられる。このような構成の液晶装置は、例えば特許文献１に開示されており、特許文献１の液晶装置では、無機配向膜を斜方蒸着法によって形成し、その厚さを変化させることで無機配向膜の配向角を制御し、配向膜上の液晶の方位角を制御している。
【特許文献１】特開２００５−１０７３７３号公報
【発明の開示】
【発明が解決しようとする課題】
【０００５】
しかしながら、特許文献１の液晶装置では、表示コントラストの低下が生じるおそれがある。つまり、特許文献１の液晶装置では、液晶の配向を強く規制する第２の配向膜（水平配向膜）が、遮光帯上からから張り出して、すなわち表示領域にも形成されており、この部分では液晶に大きなプレチルト角が付与されることによって、光漏れが生じてしまう。したがって、この画素では、例えば黒を表示しようとしても、画素内に光漏れを生じた部分があるため、本来の黒よりも明るく視認されてしまう。このようにして表示コントラストが低下しまうことによって、液晶装置の表示特性が低下してしまう。
【０００６】
本発明は、上記従来技術の問題点に鑑み成されたものであって、良好なコントラスト特性であり、かつディスクリネーション等の表示不良が防止された液晶装置と、その製造方法を提供することを目的とする。
【課題を解決するための手段】
【０００７】
本発明の液晶装置は、複数の画素電極を有する第１基板と、該第１基板に対向して配置される第２基板と、前記第１基板および前記第２基板間に挟持される液晶層と、を備える液晶装置であって、前記第１基板には、前記画素電極に対応する部分に液晶を垂直配向させる垂直配向膜を有する垂直配向部が設けられるとともに、該垂直配向部同士の間に前記液晶を水平配向させる水平配向膜を有する水平配向部が設けられ、前記第２基板には、前記垂直配向部及び前記水平配向部に対応する領域に共通して前記液晶を垂直配向させる共通垂直配向膜を有する共通垂直配向部が設けられることを特徴とする液晶装置。
【０００８】
本発明によれば、第２基板側の共通垂直配向膜が第１基板側の垂直配向部及び水平配向部に対応する領域に形成されており、画素領域毎に分割されていないため、塗布プロセスを用いて表示領域の略全体に共通垂直配向膜を形成することができる。また、非表示領域に対応する共通垂直配向膜を所定のパターンに形成しておくことで、第１基板側との導通が得られるようになっている。液晶装置を量産する場合に、少なくとも一方の基板の配向膜を真空プロセスで形成する必要がなくなるので、高価な真空成膜装置の導入台数が減り投資費用を大幅に削減することが可能となる。
本発明の液晶装置は、電圧無印加時において実質的に垂直配向を呈し、電圧印加時に水平配向を呈する液晶層を備えたものである。
【０００９】
また、前記水平配向部は、前記液晶にプレチルト角を与えるように前記水平配向膜が設けられることが好ましい。
このようにすれば、水平配向部に隣接する垂直配向部上の液晶分子の水平配向時の配向方位が水平配向領域の影響を受けて一方向に規定されるので、液晶分子の配向対立に起因するディスクリネーションの発生を効果的に抑制することができ、表示品位の良好な液晶装置とすることができる。
【００１０】
また、プレチルト角は、基板面に対して４０度以下であることが好ましい。
このようにすれば、横電界の影響による液晶分子の配向不良をより効果的に抑制することができる。
【００１１】
また、前記垂直配向部の前記垂直配向膜と前記共通垂直配向部の前記共通垂直配向膜とは同一の配向膜で設けられることが好ましい。
このようにすれば、液晶装置を量産する場合に各配向膜の製造が容易となる。
【００１２】
また、垂直配向部は、前記垂直配向膜が前記画素電極の領域よりも小さい領域に設けられることが好ましい。
このようにすれば、垂直配向膜が設けられた画素電極上の残りの領域（画素電極の周縁部）に水平配向膜の一部が配置されることになり、この領域上では液晶を所定の方位角で配向させているので、画素電位を印加した際には液晶が揃った方向に倒れて配向するようになる。したがって、垂直配向部内（垂直配向膜上）の液晶は、水平配向膜上の液晶によって倒れる方向が規制され、画素電極端から発生する横電界に影響を抑止して一定の方向に配向するようになる。よって、表示領域での液晶の配向不良が防止されてディスクリネーションが防止される。
【００１３】
また、水平配向部は、前記水平配向膜の一部が前記画素電極上に配置された状態で設けられることが好ましい。
このようにすれば、画素電極の周縁部（水平配向膜）上では液晶を所定の方位角で配向させているので、画素電位を印加した際には液晶が揃った方向に倒れて配向するようになる。したがって、垂直配向部内（垂直配向膜上）の液晶は、水平配向膜上の液晶によって倒れる方向が規制され、画素電極端から発生する横電界に影響を抑止して一定の方向に配向するようになる。よって、表示領域での液晶の配向不良が防止されてディスクリネーションが防止される。
【００１４】
また、共通垂直配向部は、前記共通垂直配向膜が非表示領域まで延在する状態で設けられることが好ましい。
このようにすれば、表示領域と非表示領域との境界においても液晶の配向を良好にすることができる。また、基板面全体に形成するためパターニング等が不要となり製造が容易である。
【００１５】
また、前記垂直配向部の前記垂直配向膜及び前記共通垂直配向部の前記共通垂直配向膜のそれぞれは、側鎖に垂直配向性を示すアルキル鎖を含むポリイミド、もしくは前記画素電極の表面を炭素数が１０以上の直鎖アルキル基を有するシランカップリング剤で表面処理したもの、または無機材料の薄膜形成により垂直配向性を持たせたものであることが好ましい。
このようにすれば、垂直配向膜および共通垂直配向膜上の液晶を実質的に垂直配向させることができる。ここで、「実質的に垂直配向」とは、液晶層に電圧印加した際に、液晶分子が倒れる方向が一定方向に規制されない状態のことをいう。
【００１６】
また、水平配向部の前記水平配向膜は、水平配向性を示すポリイミド、もしくは前記画素電極の表面を炭素数が１０以下の直鎖アルキル基を有するシランカップリング剤で表面処理したもの、または無機材料の薄膜形成により水平配向性を持たせたものであることが好ましい。
このようにすれば、水平配向部が、液晶に所定のプレチルト角及び方位角を付与するエリアとなる。上記材料からなるいずれの水平配向膜においても、電圧印加時に周囲の垂直配向部内の液晶を一軸配向させることができる。
【００１７】
また、前記第１基板及び前記第２基板の外側に配置された互いの遅相軸が直交するように配置された配置された一対の１／４波長板と、前記一対の１／４波長板の外側に前記一対の１／４波長板の遅相軸に対して透過軸が４５°の角度をなし、かつ互いの偏光版の透過軸が直交するように配置された偏光板と、を有することが好ましい。
このようにすれば、白表示時における液晶分子の方位方向（方位角）によらず複屈折効果が得られ、液晶装置の輝度を大幅に向上させることができる。
【００１８】
本発明の液晶装置の製造方法は、複数の画素電極を有する第１基板と、該第１基板に対向して配置される第２基板と、前記第１基板および前記第２基板間に挟持される液晶層と、を備える液晶装置の製造方法であって、前記第１基板の前記画素電極に対応する部分に、前記液晶を垂直配向させる垂直配向膜を有する垂直配向部を設ける垂直配向部形成工程と、
前記第１基板の前記垂直配向部同士の間に、前記液晶を水平配向させる水平配向膜を有する水平配向部を設ける水平配向部形成工程と、前記第２基板の、前記第１垂直配向部及び前記水平配向部に対応する領域に共通して前記液晶を垂直配向させる共通垂直配向膜を有する共通垂直配向部を設ける共通垂直配向部形成工程と、を有することを特徴とする。
【００１９】
このようにすれば、第２基板側の共通垂直配向膜は、画素領域毎に分割することなく、第１基板側の垂直配向部及び水平配向部に対応する領域に形成するため、塗布プロセスを用いて基板の略全面に共通垂直配向膜を形成することができる。液晶装置を量産する場合に、少なくとも一方の基板の配向膜を真空プロセスで形成する必要がなくなるので、高価な真空成膜装置の導入台数が減り投資費用を大幅に削減することが可能となる。
また、本発明の液晶装置は、電圧無印加時において実質的に垂直配向を呈し、電圧印加時に水平配向を呈する液晶層を備えたものである。
【００２０】
また、垂直配向部形成工程は、前記垂直配向膜を、シランカップリング剤の表面処理によって垂直配向性を持たせるように形成することが好ましい。
このようにすれば、シランカップリング剤を用いることによって垂直配向能を有する配向膜を簡単且つ容易に形成することができる。
【００２１】
また、垂直配向部形成工程は、前記垂直配向膜を、インクジェット法により膜材料を吐出することで形成することが好ましい。
このようにすれば、垂直配向膜を所定のパターンに形成すべく選択的に材料を塗布することができる。
【００２２】
また、垂直配向部形成工程は、前記垂直配向膜を、無機材料を真空プロセスにより成膜して無機配向膜を形成した後、フォトプロセスを経てエッチングによりパターニングすることで形成することが好ましい。
このようにすれば、垂直配向膜を形成した後に水平配向膜を形成することができる。そのため、配向膜の形成材料によって垂直配向膜と水平配向膜の形成順を適宜選択することができる。
【００２３】
また、前記水平配向部形成工程は、前記水平配向膜を、感光性ポリイミドを塗布した後にフォトプロセスによってパターニングするか、またはインクジェット法によりポリイミド溶液を吐出して、ラビング処理もしくはイオンビーム法により配向情報を付与することで形成することが好ましい。
このようにすれば、配向膜の形成材料によって、垂直配向膜と水平配向膜の形成順を適宜選択することができる。
【００２４】
また、共通垂直配向部形成工程は、前記共通垂直配向膜を、ポリイミド溶液をスピンコート法もしくはインクジェット法により形成することが好ましい。
このようにすれば、スピンコート法を用いれば、基板面全体に共通垂直配向膜を簡単且つ容易に形成することができる。インクジェット法を用いれば、所定の箇所に配向膜材料を選択的に吐出することができるので、パターニングすることなく所望の形状の共通垂直配向膜を形成することができる。
【００２５】
また、共通垂直配向部形成工程は、前記共通垂直配向膜を、無機材料を真空プロセスにより成膜して形成することが好ましい。
このようにすれば、液相プロセスよりも均一な表面処理を行うことができる。
【００２６】
また、共通垂直配向部形成工程は、前記共通垂直配向膜を、シランカップリング剤の表面処理によって垂直配向性を持たせるように形成することが好ましい。
このようにすれば、真空プロセスよりも短時間で表面処理を行うことができる。また、高価な真空成膜装置が不要となるため初期投資費用を削減することができる。
【００２７】
複数の画素電極を有してなる第１基板と、該第１基板に対向して配置される第２基板と、これら基板間に挟持された液晶層とを備え、前記液晶層は初期配向状態が垂直配向を呈しかつ誘電体異方性が負の液晶によって形成されてなる液晶装置であって、前記画素電極と対応する位置に設けられた表示領域と、該表示領域間に設けられた非表示領域とを有し、前記画素電極は、前記表示領域に配置され、かつ、その周縁部が前記非表示領域に張り出して配置され、前記画素電極上の少なくとも前記表示領域には、該第１基板の液晶層側に設けられた配向膜によって、前記液晶を略垂直に配向させる第１のエリアが形成され、前記非表示領域には、前記第１基板の液晶層側に設けられた配向膜によって、前記液晶を所定の方位角で配向させる第２のエリアが形成され、前記第２のエリアは、少なくとも前記画素電極の前記非表示領域に張り出してなる周縁部上に形成されていることを特徴とする。なお、本発明において、周縁とはある領域の内部であって、この領域内部と外部との境界近傍を意味し、周辺とはある領域の外部であって、この領域内部と外部との境界近傍を意味するものとする。
【００２８】
このようにすれば、表示領域側から非表示領域側に張り出した画素電極の周縁部上（第２のエリア）では、液晶を所定の方位角で配向させているので、前記周縁部上の液晶は、画素電位を印加した際に、揃った方向に倒れて配向するようになる。したがって、表示領域（第１のエリア）内の液晶は、前記周縁部上の液晶によって倒れる方向が規制され、画素電極端から基板と略平行な方向に発生する横方向電界に影響されることなく、一定の方向に配向するようになる。よって、表示領域での液晶の配向不良が防止され、ディスクリネーションが防止される。
【００２９】
また、表示領域（第１のエリア）に配置された液晶は、画素電極の周縁部上（第２のエリア）によって配向する方向を規制されるようにしているので、電圧が印加されていない状態で基板面に対して略９０度に垂直配向された場合にも、電圧が印加された際には揃った方向に倒れて配向するようになる。したがって、表示領域にディスクリネーションが生じることが防止され、よって、良好なコントラスト特性を有し、かつ表示不良が防止された液晶装置とすることができる。
【００３０】
また、液晶を所定の方位角で配向させる第２のエリアは、前記画素電極の前記非表示領域に張り出してなる周縁部上、すなわち、表示領域の外部のみに形成しているので、表示領域には、垂直に配向された液晶のみが配置されるようになっている。したがって、水平配向された液晶が表示領域内に配置されることによる光漏れが防止され、よって、各画素の表示コントラスト低下が防止される。
【００３１】
また、前記第２のエリアでは、液晶のプレチルト角が１０度以上４５度以下となっていることが好ましい。
このようにすれば、前記第２のエリアに配置された液晶は、画素電位を印加した際に倒れる方向が十分に規制されるので、画素電極端から発生する横方向電界に起因する液晶の配向不良が防止される。また、液晶に上記の範囲でプレチルト角を付与するには、公知の方法を用いることができるので、信頼性が高い液晶装置とすることができる。
なお、本発明でプレチルト角とは、基板の厚さ方向に対して液晶のダイレクタがなす角度の余角を意味するものとする。また、プレチルト角が４５度を超えた配向を垂直配向と表現し、プレチルト角が４５度以下である配向を水平配向と表現する。
【００３２】
また、前記第２のエリアに対応する配向膜は、感光性樹脂からなっていることが好ましい。
このようにすれば、前記第２のエリアに対応する配向膜を形成する際に、光を用いたパターニング方法を用いることができる。具体的には、前記第２のエリアは非表示領域内に位置しており、基板には前記非表示領域を規定する遮光膜が形成されている。そこで、前記感光性樹脂としてポジ型のものを用い、前記遮光膜をマスクにして前記感光性樹脂を露光、現像することによって、配向膜パターンを形成することができる。このようにして形成された配向膜パターンは、遮光膜に覆われた領域、すなわち非表示領域の内側のみに位置するものとなる。
【００３３】
本発明の液晶装置の製造方法は、複数の画素電極を有してなる第１基板と、該第１基板に対向して配置される第２基板と、これら基板間に挟持された液晶層とを備え、前記液晶層は初期配向状態が垂直配向を呈しかつ誘電体異方性が負の液晶によって形成され、前記画素電極に対応する位置が表示領域とされ、該表示領域間が非表示領域とされる液晶装置の製造方法であって、前記画素電極を、前記第１基板の表示領域となる位置に形成し、かつその周縁部を前記非表示領域となる位置に張り出して形成する工程と、前記画素電極上で、かつ少なくとも前記表示領域となる位置に、前記液晶を略垂直に配向させる第１の配向膜を形成する工程と、前記第１基板の前駆体である基板の画素電極側で、かつ前記非表示領域における、少なくとも前記画素電極の前記非表示領域に張り出してなる周縁部上に、前記液晶を所定の方位角で配向させる第２の配向膜を形成する工程と、を有することを特徴とする。
【００３４】
このようにすれば、表示領域側から非表示領域側に張り出した画素電極の周縁部上（第２のエリア）には、液晶を所定の方位角で配向させる第２の配向膜を形成しているので、前記周縁上の液晶は、画素電位を印加した際に、揃った方向に配向するようになる。したがって、表示領域（第１のエリア）内の液晶は、前記周縁部上の液晶によって配向する方向が規制され、画素電極端から基板と略平行な方向に発生する横方向電界に影響されることなく、一定の方向に配向するようになる。よって、表示領域での液晶の配向不良が防止され、ディスクリネーションが防止された液晶装置を製造することができる。
【００３５】
また、表示領域（第１のエリア）に配置された液晶は、画素電極の周縁部上（第２のエリア）によって、配向する方向を規制されるようになるので、電圧が印加されていない状態で略０度に垂直配向させた場合にも、電圧を印加した際には揃った方向に倒れて配向するようになり、表示領域においてディスクリネーションが防止される。よって、良好なコントラスト特性を有し、かつ表示不良が防止された液晶装置を製造することができる。
【００３６】
また、液晶を所定の方位角で配向させる第２のエリアは、前記画素電極の前記非表示領域に張り出してなる周縁部上、すなわち、表示領域の外部のみに形成しているので、表示領域には、略０度に垂直配向された液晶のみが配置されるようになる。したがって、水平配向された液晶が表示領域内に配置されることによる光漏れが防止され、表示コントラスト低下が防止された液晶装置を製造することができる。
【００３７】
また、前記第１基板の前記非表示領域となる位置に遮光膜を形成する工程を有し、前記第２の配向膜を形成する工程は、前記第１基板の画素電極側に感光性樹脂を塗布して樹脂膜を形成する工程と、前記遮光膜をマスクにして露光、現像し、該遮光膜に対応した配向膜パターンを形成する工程と、該配向膜パターンをラビング処理して第２の配向膜とする工程とを有することが好ましい。
【００３８】
このようにすれば、第２の配向膜を形成するためのレジストマスク等を用いる必要がなく、製造工程を簡略化することができる。また、第２の配向膜のパターニングを高精度で行うことができ、遮光膜に覆われた領域、すなわち非表示領域の内側のみに第２の配向膜を形成することができる。したがって、第２の配向膜によって所定の方位角で配向された液晶は、非表示領域内のみに配置され、よって、垂直配向された液晶のみが表示領域に配置されるようになる。
【発明を実施するための最良の形態】
【００３９】
以下、図面を参照して本発明の一実施形態について、ＴＦＴ（Thin-Film Transistor）素子を用いたアクティブマトリクス型の透過型液晶装置を例に説明するが、本発明の技術範囲は以下の実施形態に限定されるものではない。また、以下の説明に用いる各図面では、各部材を認識可能な大きさとするため、各部材の縮尺を適宜変更している。
【００４０】
図１は透過型液晶装置のマトリクス状に配置された複数の画素におけるスイッチング素子、信号線等の等価回路図である。
図１に示すように、マトリクス状に配置された複数の画素には、画素電極９と当該画素電極９への通電制御を行うためのスイッチング素子であるＴＦＴ素子３０がそれぞれ形成されており、画像信号が供給されるデータ線６ａが当該ＴＦＴ素子３０のソースに電気的に接続されている。データ線６ａに書き込む画像信号Ｓ１、Ｓ２、…、Ｓｎは、この順に線順次に供給されるか、あるいは相隣接する複数のデータ線６ａに対してグループ毎に供給される。
【００４１】
また、走査線３ａがＴＦＴ素子３０のゲートに電気的に接続されており、複数の走査線３ａに対して走査信号Ｇ１、Ｇ２、…、Ｇｍが所定のタイミングでパルス的に線順次で印加される。また、画素電極９はＴＦＴ素子３０のドレインに電気的に接続されており、スイッチング素子であるＴＦＴ素子３０を一定期間だけオンすることにより、データ線６ａから供給される画像信号Ｓ１、Ｓ２、…、Ｓｎを所定のタイミングで書き込む。
【００４２】
画素電極９を介して液晶に書き込まれた所定レベルの画像信号Ｓ１、Ｓ２、…、Ｓｎは、後述する共通電極との間で一定期間保持される。液晶は、印加される電圧レベルにより分子集合の配向や秩序が変化することにより、光を変調し、階調表示を可能にする。ここで、保持された画像信号がリークすることを防止するために、画素電極９と共通電極との間に形成される液晶容量と並列に蓄積容量７０が付加されている。
【００４３】
図２は、透過型液晶装置の表示部を示す図であって、画素電極が配された第１基板の、配向膜（図示せず）が形成された面側から平面視した模式図である。液晶装置の表示部は、画素電極９（外周９ａ’とする）に対応してその内側に設けられた画素領域Ｐと、それ以外の遮光領域ＢＭとから構成されており、前記画素電極９は、その周縁部が遮光領域ＢＭに張り出して配置されている。また、少なくとも画素領域Ｐ全体を含んで、第１のエリアＡ１が形成されており、遮光領域ＢＭには第２のエリアＡ２が形成されている。
【００４４】
図３は、図２のＸ−Ｘ線断面の模式図である。図３に示すように、透過型液晶装置１は、第１基板１０と、第２基板２０と、これら基板間に挟持された液晶層５０とから構成されている。第１基板１０は、ガラス等の透明な基板１０Ａと、この基板１０Ａ上に形成された画素電極９や遮光膜１３、層間絶縁層１４、および垂直配向膜４１（第１の配向膜）、水平配向膜４２（第２の配向膜）等から構成されている。前記ＴＦＴ素子（図示せず）や配線（図示せず）等は遮光膜１３上に形成されており、前記基板１０Ａ側から入射する光によって劣化することが防止されている。また、前記遮光膜１３が形成されていることにより、遮光領域ＢＭが規定され、遮光領域ＢＭ間の画素開口部として画素領域Ｐが規定されている。
【００４５】
この第１基板１０には、基板面に対して液晶を実質的に垂直配向させる垂直配向部と、基板面に対して所定のプレチルト角で配向させる水平配向部とが設けられている。垂直配向部は、画素電極９に対応する部分に配置された垂直配向膜４１を有し、水平配向部は、垂直配向膜４１を取り囲むようにして配置される水平配向膜４２を有している。
【００４６】
また、第１基板１０上には、少なくとも前記画素領域Ｐを含んで、第１のエリアＡ１が形成されており、前記遮光領域ＢＭには、少なくとも前記画素電極９の前記非表示領域に張り出してなる周縁部９ｂ上を含んで第２のエリアＡ２が形成されている。図３に示すように第１のエリアＡ１と第２のエリアＡ２とは連続して設けられている。また、前記第１のエリアＡ１に対応する画素電極９上には、垂直配向膜４１が形成されており、前記第２のエリアＡ２に対応する画素電極９上および遮光膜１３（すなわち層間絶縁層１４）上には、水平配向膜４２が形成されている。すなわち、前記遮光領域ＢＭの幅をａとし、前記第２のエリアＡ２の幅をｂとし、画素電極間Ｇの幅をｃとすると、ａ≧ｂ＞ｃとなっている。
【００４７】
このように、少なくとも、画素電極間Ｇの幅（ｃ）よりも第２エリアＡ２の幅（ｂ）の方が大きくなるように設定し、画素電極９上に水平配向膜４２の一部が配置されるように構成する。
【００４８】
垂直配向膜４１は、側鎖に垂直配向性を示すアルキル鎖を含むポリイミドからなる薄膜や、画素電極９の表面を炭素数が１０以上（例えば炭素数１６）の直鎖アルキル基を有するシランカップリング剤で表面処理することによって得られる薄膜や、無機材料の薄膜形成により垂直配向機能を持たせた薄膜などから構成されている。「無機膜に垂直配向性を持たせた薄膜」としては、例えば、無機膜上を、有機官能基を含むシランカップリング剤によって表面処理することで得た薄膜などが挙げられる。
【００４９】
水平配向膜４２は、水平配向性を有するポリイミドからなる薄膜や、基板１０Ａ上を炭素数１０以下（例えば炭素数６）の直鎖アルキル基を有するシランカップリング剤で表面処理することによって得られる薄膜や、無機材料の薄膜形成により水平配向性を持たせた薄膜などから構成されている。「無機膜に水平配向性を持たせた薄膜」としては、無機膜の表面にラビング処理が施された薄膜や、真空プロセスによって得られる斜方蒸着膜などが挙げられる。また、シランカップリング剤を用いる場合には、基板１０Ａ上を例えば炭素数６の直鎖アルキル基を有するシランカップリング剤で表面処理した後に、ラビング処理を施す。これにより、炭素数６の直鎖アルキル基が基板面に対して傾倒してプレチルトを発現することになる。
【００５０】
第２基板２０は、ガラス等からなる透明な基板２０Ａと、共通垂直配向膜６１と、共通電極２１等から構成されている。
なお、第２基板２０側にも前記遮光膜１３および水平配向膜４２を形成してもよい。
【００５１】
第２基板２０には、画素毎に区画されることなく液晶５１を基板面に対して実質的に垂直配向させる共通垂直配向部が設けられており、第１基板１０の垂直配向部及び水平配向部に対応する領域に共通する共通垂直配向膜６１を有している。共通垂直配向膜６１は、スピンコート法やインクジェット法等の塗付プロセスにより形成され、表示領域から非表示領域にかけて設けられている（図８参照）。
【００５２】
また、共通垂直配向膜６１は、共通電極２１の各角部を露出させる形状にパターン形成されている（図９参照）。共通垂直配向膜６１に開口部６１Ａを形成するには、共通電極２１の各角部上を予めマスクで覆っておくか、共通電極２１に各角部に対応する部分を後でエッチングにより除去するようにしてもよい。
【００５３】
図１０に示すように、第２基板２０の各角部（共通垂直配向膜６１から露出した共通電極２１の各角部）には、第１基板１０と第２基板２０との電気的導通を取るための導電粒子である基板間導通材９０が配置されている。該基板間導通材９０は導電ペーストによって形成され、例えば、第１基板１０と第２基板２０とを接着する不図示のシール材内に配置されていてもよい。第２基板２０の非表示領域には、該基板２０上に形成される端子の引き廻し配線９１が形成されており、この引き廻し配線９１と共通電極２１とに基板間導通材９０が接触することによってこれらを電気的に接続し、コモン電位を共通電極２１へ供給している。
【００５４】
第１基板１０と第２基板２０との間には液晶層５０が封止されており、図３に示した初期状態（電圧無印加状態）では、垂直配向膜４１、６１間の液晶５１は、基板面に対してプレチルト角略９０度に配向させられており、水平配向膜４２上の液晶５２は所定のプレチルト角で配向させられている。
【００５５】
図４は、画素電極９と共通電極２１との間に電圧を印加したときの液晶の配向を模式的に示す図である。前記画素電極９と前記共通電極２１との間に電圧を印加すると、その電圧に応じて液晶層５０の液晶が配向し、透過型液晶装置１の厚さ方向に透過する光が変調され、透過型液晶装置１は階調表示が可能なものとなる。このとき、本発明の透過型液晶装置１では、第２のエリアＡ２（水平配向膜４２上）に位置する液晶５２については、電圧無印加状態において所定のプレチルト角で配向させているので、電圧を印加した場合に、揃った方向へ倒れて配向する。したがって、第１のエリアＡ１（垂直配向膜４１上）に位置する液晶５１は、電圧を印加された場合に倒れる方向が前記液晶５２に規制され、揃った方向に配向するようになる。すなわち、第１のエリアＡ１の、第２のエリアＡ２近傍に位置する液晶は、第２のエリアＡ２の外周部となる前記画素電極９の周縁部９ｂ上の液晶５２の動作に大きく影響を受け、特にその倒れる方向が周縁部９ｂ上の液晶５２の倒れる方向に規制される。これにより、第１のエリアＡ１の液晶５１は、全て揃った方向に倒れ、均一に配向するようになる。よって、画素電極９の端部から第１基板１０に平行な方向に横方向電界が生じても、画素領域Ｐの液晶５１は、配向不良を生じることが防止される。
【００５６】
ここで、前記液晶５２のプレチルト角は、１０〜４５度とすることが好ましい。また、４０度以下とすることがより好ましい。このようにすれば、電圧を印加された際に、液晶５２が倒れる方向は十分に規制されるので、液晶５１の配向不良がより確実に防止される。また、液晶５２に上記の範囲でプレチルト角を付与するには、水平配向膜４２による公知の方法を用いることができる。
【００５７】
また、画素領域Ｐに対応する液晶５１と異なる配向となる液晶５２は、遮光領域ＢＭ内のみに配置しているので、画素領域Ｐ（画素開口部）に対応する画素の透過率は液晶５１のみに規定され、均一なものとなる。したがって、前記画素の透過率を所望のものとすることができる。また、画素領域Ｐに対応する液晶５１は、配向不良が防止されているので、電圧無印加状態で略垂直に配向させることができる。
【００５８】
次に本発明に係る液晶装置の製造方法の第１の実施形態を説明する。本実施形態では、前記水平配向膜４２の材料として感光性樹脂を用い、前記遮光膜１３をマスクにしてパターニングし、前記水平配向膜４２を形成する方法を例に説明を行う。
【００５９】
図５と図６は、第１基板１０を形成する工程の説明図である。まず、図５（ａ）に示すように、ガラス等からなる透明な基板１０Ａ上にＣｒ（クロム）等からなる遮光膜１３を格子状に形成し、この遮光膜１３によって遮光領域ＢＭを規定するとともに、この遮光領域ＢＭに囲まれた領域を画素領域Ｐ（画素開口部）とする。続いて、遮光膜１３上に図１に示したＴＦＴ素子３０やデータ線６ａ、走査線３ａ等の配線を形成する。次に、前記画素領域Ｐから遮光領域ＢＭに張り出して、ＩＴＯ（インジウム錫酸化物）等の透明導電体を用いて画素電極９を形成し、第１基板１０となる前駆体を形成する。これらの工程は、公知の方法を用いることができる。
【００６０】
次に、図５（ｂ）に示すように、第１基板１０の画素電極９側に、例えばスピンコート法等の方法を用いて、後述する水平配向膜４２の材料を塗布し、感光性樹脂膜４２ａを形成する。この水平配向膜４２の材料としては、例えば紫外線可溶化型ポリイミド（ポジ型ＰＩ）等を用いる。また、前記感光性樹脂膜４２ａの厚さについては、例えば１００ｎｍ程度とする。なお、本発明で第１基板１０とは、便宜上、前駆体の状態も含むものとする。
【００６１】
また、配向膜材料の塗布法は特に限定されることなく、上記以外の種々の方法が採用可能であって、例えばインクジェット法等も好適に用いられる。
【００６２】
続いて、図５（ｃ）に示すように、基板１０Ａの裏面側（前記ポジ型ＰＩ塗布面の反対の面側）からＵＶを照射し、所定量の露光を行う。このとき、前記基板１０Ａと画素電極９とは透明な材料からなっているため、これらに対応する画素領域ＰではＵＶが透過し、画素領域Ｐ上の紫外線可溶化型ポリイミドが露光され、可溶化される。一方、遮光膜１３に対応する遮光領域ＢＭでは、ＵＶが透過しないので、遮光領域ＢＭと対応した位置の感光性樹脂膜４２ａは露光されない。
【００６３】
上記のような工程後、感光性樹脂膜４２ａの可溶化（露光）された部分をウエットエッチングで除去（現像）し、例えばＮ２雰囲気にて３００℃程度の温度で１時間程度加熱処理し、アニールすることでイミド化を行う。これにより、図６（ａ）に示すように、遮光領域ＢＭに対応した感光性樹脂膜４２ｂが形成される。感光性樹脂膜４２ｂの大きさ（幅）については、ＵＶを第１基板１０Ａに対して入射させる角度や、露光時間、現像時間等によって制御可能であるが、前記遮光膜１３をマスクにして露光されたことでセルフパターニングされているため、少なくとも遮光領域ＢＭの範囲内に収まるように形成される。
【００６４】
次に、図６（ｂ）に示すように、ラビング布をローラに巻きつけたラビング処理装置５５により、前記感光性樹脂膜４２ｂにラビング処理を行い、前記感光性樹脂膜４２ｂに配向性を付与することで、遮光領域ＢＭに対応した水平配向膜（第２の配向膜）４２を形成する。
【００６５】
また、ラビング処理法以外に、イオンビームスパッタ（ＩＢＳ）法を用いて感光性樹脂膜４２ｂに配向性を付与してもよい。
【００６６】
水平配向膜４２が形成されたことにより、水平配向膜４２上に第２のエリアＡ２が形成可能となる。また、第２のエリアＡ２間が第１のエリアＡ１として規定される。
【００６７】
上記のように水平配向膜４２を形成した後（水平配向部形成工程）、前記水平配向膜４２を形成した基板１０Ａに垂直配向膜４１を形成する（垂直配向部形成工程）。垂直配向膜４１を形成するには、例えば長鎖アルキル基や剛直な平面構造を有する官能基を、前記水平配向膜４２間に露出した画素電極９上に、選択的に付与する方法がある。具体的には、前記水平配向膜４２が形成された第１基板１０に、例えばＮ２雰囲気にて１５０〜１８０℃程度の温度で３時間程度乾燥処理を行い、その後、前記水平配向膜４２を備えた前記基板１０Ａを例えばＯＤＳ（Ｏｃｔａｄｅｃｙｌｔｒｉｍｅｔｈｏｘｙｓｉｌａｎｅ）溶液を有した容器とともに密閉容器内に放置する。そして、この容器を例えば１５０℃の温度で一時間程度加熱することによって、前記ＯＤＳ溶液の蒸気を前記基板１０Ａの画素電極９配置面に接触させる。このようにすれば、ＯＤＳ分子の長鎖アルキル基は、無機系の反応基を有していることにより、前記水平配向膜４２の有機材料とは結合することなく、無機材料であるＩＴＯからなる画素電極９上に選択的に結合する。したがって、前記垂直配向膜４１を前記水平配向膜４２間から露出した画素電極９上に、選択的に形成することができる。
【００６８】
以上のようにして、図６（ｃ）に示すように、第１のエリアＡ１に垂直配向膜４１を、第２のエリアＡ２に水平配向膜４２を、それぞれ備えた第１基板１０が得られる。
【００６９】
また、第１基板１０とは別に、図７（ａ）に示すように第２基板２０を形成する。この第２基板２０は、ガラス等の透明な材料からなる基板２０Ａ上に、ＩＴＯ等の透明導電体を用いて共通電極２１を形成し、この共通電極２１上に、共通垂直配向膜６１を形成する（共通垂直配向部形成工程）。これらの工程は公知の手法を用いることができ、例えば共通電極２１の形成には蒸着法等が好適である。
【００７０】
共通垂直配向膜６１の形成には、ポリイミド溶液をスピンコート法あるいはインクジェット法等を用いることで好適に形成することができる。例えば、スピンコート法を用いる場合には、成膜した薄膜の、共通電極２１の各角部に対応する箇所を部分的に除去する。インクジェット法を用いる場合には、予め共通電極２１の各角部をマスクで覆っておくようにする。このように、いずれの手法を用いる場合においても、共通電極２１の各角部が露出する形状となるように共通垂直配向膜６１を形成する。
【００７１】
次に、図７（ｂ）に示すように、第１基板１０と第２基板２０とを、第１の配向膜４１、６１および第２の配向膜４２が内側になるように貼り合わせ、図７（ｃ）に示すように、第１基板１０と第２基板２０との間に液晶層５０を封入することで、液晶パネル５８を形成する。
【００７２】
以上のような製造方法によれば、遮光膜１３をマスクにしたセルフアライメントによって水平配向膜を形成しているので、別途レジストマスク等を用いる必要がなく、製造工程を簡略化することができる。
また、前記水平配向膜４２は、遮光膜１３に規定される遮光領域ＢＭ内に形成されるようにしているため、画素領域Ｐにはみ出して形成されることがない。したがって、画素領域Ｐには、垂直配向膜４１、６１のみが配置された透過型液晶装置１を製造できる。
【００７３】
上記の製造方法によって得られた本発明の液晶装置１（透過型液晶装置）にあっては、画素領域Ｐの液晶５１の配向不良を防止しているので、ディスクリネーション等の表示不良が防止されたものになっている。また、画素領域Ｐに対応する液晶５１は電圧無印加状態で略垂直に配向させることができるので、良好なコントラスト特性のものとなっている。また、表示領域に水平配向された液晶が配置されることを防止しているので、表示コントラスト低下が防止されたものとなっている。
【００７４】
なお、本実施形態では、第２のエリアＡ２を画素電極９の周縁部９ｂと画素電極９間とに連続して形成しているが、各画素電極９の周縁部９ｂのみに形成しても良い。また、遮光膜１３をＣｒ等によって独立して形成したが、例えば配線電極等を遮光膜１３として機能させても良い。
また、垂直配向膜４１を形成する方法としては、水平配向膜４２を形成した後に、例えばポリシロキサンを含有する溶剤をスピンコート法等の液相法によって、第１基板の前記水平配向膜４２を形成した面側に塗布し、２００℃程度の温度で硬化させることによって形成してもよい。
また、垂直配向膜４１を、例えば前記ポリシロキサンのように無機系の材料からなる剛直な構造のものとした場合、垂直配向膜４１はラビング処理によって配向性を付与されなくなるので、図６（ｂ）に示した感光性樹脂膜４２ｂにラビング処理を行う工程は、垂直配向膜４１を形成した後に、垂直配向膜４１上と感光性樹脂膜４２ｂ上とを一括して行うようにしてもよい。
【００７５】
図１１は、本実施形態の液晶装置の電圧印加に伴う液晶分子の配向変化を経時的に示す説明図である。
まず、初期配向状態（電圧無印加状態）では、図１１（ａ）に示すように、第１基板１０側において垂直配向膜４１が形成された第１のエリアＡ１では液晶５１が基板面に対して垂直に配向する一方、周辺の第２のエリアＡ２では液晶５２が所定の方位角方向にプレチルトを有した状態で基板面に対して水平に配向する。第２基板２０側に設けられた共通垂直配向膜６１の界面の液晶５１は基板面に対して垂直に配向する。このように、本実施形態の液晶装置１は、垂直配向領域（第１のエリアＡ１）の周囲にＨＡＮ（Hybrid Alignment Nematic）配向領域（第２のエリアＡ２）が存在する垂直配向方式の液晶装置である。
【００７６】
この状態から電圧を印加すると、図１１（ｂ）に示すように、ＨＡＮ配向領域において水平配向する液晶５２の影響により、垂直配向領域（画素電極９上）の液晶５１が同一方向に一様に傾倒する。つまり、電圧無印加時に所定のプレチルト角で配向していた第２のエリアＡ２の液晶５２によって、電圧印加時における第１のエリアＡ１に位置する液晶５１の傾倒方向が規制される。その後、図１１（ｃ）に示すように、第１のエリアＡ１及び第２のエリアＡ２に位置する全ての液晶５１、５２が揃った方向に均一に配向する。
このように、画素電極９端部において発生する横電界に影響されることなく、液晶５１、５２が一定の方向に配向するため、表示領域での液晶分子の配向不良が防止され、ディスクリネーションが防止される。
【００７７】
［偏光板及び１／４波長板］
図３に示すように、本実施形態における液晶装置２００は、液晶パネル５８の両側に一対の１／４波長板８１，８２が配置され、一対の１／４波長板８１，８２の外側に一対の偏光板７１，７２が配置されている。詳細には、液晶パネル５８を挟持するようにして、第１基板１０及び第２基板２０の外側に透過軸が互いに直交する直線偏光の光の間にほぼ４／１波長の光路差を生じさせる１／４波長板８１，８２がそれぞれ配置されている。また、１／４波長板８１，８２の両外側には、偏光板７１，７２がクロスニコル状態でそれぞれ配置されている。
【００７８】
図１２（ａ），（ｂ）は、１／４波長板８１，８２及び偏光板７１，７２の光学軸の配置を示している。図１２（ｂ）に示すように、基板面に垂直に見ると、偏光板７１の偏光軸７１ａと、偏光板７２の偏光軸７２ａとが略直交している。また、１／４波長板８１の光学軸（遅相軸）８１ａと、１／４波長板８２の光学軸８２ａとが略直交している。偏光軸７１ａと光学軸８１ａとのなす角、偏光軸７２ａと光学軸８２ａとのなす角はともに約４５°である。すなわち、偏光板７１及び１／４波長板８１、偏光板７２及び１／４波長板８２は、それぞれ円偏光板を構成している。
【００７９】
以下に、液晶装置の透過シミュレーション結果について述べる。
（偏光板クロスニコル状態での液晶装置（１／４波長板なし）の透過シミュレーション）
ここで、図１３は、画素電極上における液晶分子のダイレクタ分布を示す斜視図である。また、図１４に、電圧印加状態での一画素におけるクロスニコル下での光透過率分布を示す。
光源から出射され、偏光板７１、液晶パネル５８をこの順で透過した光は、液晶パネル５８によってλ／２の位相差が付与された直線偏光と同一の偏光状態で偏光板７２から出射するが、電圧印加時における液晶分子の配向は、画素電極９（画素部Ｘ）の端部での電界と共通垂直配向膜６１とで決められる方位角アンカリングの相関により、所定の配向方向とは異なり、方位角方向で回転してしまっている領域が一部に存在する（図１３参照）。このような液晶分子の配向（方位角方向）は、偏光板７１，７２のいずれかの透過軸と一致したとき、この部分での透過率が図１４に示すように低下してしまう。
【００８０】
（本実施形態おける液晶装置（１／４波長板あり）の透過シミュレーション）
図１５に、電圧印加状態での一画素におけるクロスニコル下での光透過率分布を示す。
本実施形態では、偏光板と液晶層の間に１／４波長板を設けて偏光板を透過した直線偏光を円偏光に変換し、液晶の方位角によらず、λ／２の位相差を生じさせるようにしている。
図３，１２（ａ）に示すように、光源から出射され偏光板７１を透過した直線偏光は、１／４波長板８１によってλ／４の位相差を付与されて円偏光に変換される。円偏光は、液晶パネル５８において実質λ／２の位相差が付与されて逆回転の円偏光となり、さらに１／４波長板８２によって入射した直線偏光に対して直交した直線偏光となり偏光板７２を透過する。このとき液晶層を通過する円偏光は液晶の方位角によらず、複屈折効果を生じさせるため、一部方位角方向で回転している液晶分子でも偏光を透過させることができる。
【００８１】
電圧無印加状態で液晶分子が垂直配向している場合、偏光板７１を透過した直線偏光は、１／４波長板８１によってλ／４の位相差を付与されて円偏光に変換され、液晶層で位相差変化を生じさせず、１／４波長板８２によって、もとの直線偏光に戻り、偏光板７２で透過軸に直交するため吸収される。
【００８２】
このように、液晶パネル５８の両側に、１／４波長板８１，８２及び偏光板７１，７２を備えることにより、液晶分子の方位方向（方位角）によらず複屈折効果が得られるので、図１５に示すように液晶装置２００の輝度を大幅に向上させることができる。
【００８３】
また、水平配向膜４２に対して方位角を備えたプレチルトを具備させるために、ポリイミド膜にラビング処理を施したものを水平配向膜４２としているが、例えばＳｉＯ２に代表される無機材料（無機酸化物）を斜方蒸着により形成した斜方蒸着膜や、上述したように無機材料（無機酸化物）をイオンビームスパッタ（ＩＢＳ）法により形成した無機配向膜を水平配向膜４２とすることも可能である。
【００８４】
以上、添付図面を参照しながら本発明に係る好適な実施形態について説明したが、本発明はかかる例に限定されないことは言うまでもなく、上記各実施形態を組み合わせても良い。当業者であれば、特許請求の範囲に記載された技術的思想の範疇内において、各種の変更例または修正例に想到し得ることは明らかであり、それらについても当然に本発明の技術的範囲に属するものと了解される。
【００８５】
例えば、水平配向膜４２を形成する他の方法として、シランカップリング剤を用いて基板１０Ａ上を表面処理することによって水平配向膜４２を形成してもよい。この場合、シランカップリング剤には炭素数１０以下の直鎖アルキル基が含まれており、このシランカップリング剤によって表面処理を行うことで、画素電極９上及び電極間領域において露出する層間絶縁層１４上をアルキル基で修飾することができる。こうして形成された薄膜層の表面にラビング処理を施した後、フォトプロセスなどを用いてパターン形成して水平配向膜４２を形成する。ラビング処理によって炭素数１０以下の直鎖アルキル基に水平配向能が付与され、水平配向膜４２上の液晶５２を基板面に対して所定の角度で水平配向させることができる。なお、画素電極９上における垂直配向膜４１の形成箇所にマスクを予め形成した後、シランカップリング剤を塗付するようにしてもよい。
【００８６】
また、垂直配向膜４１を形成する他の方法としては、例えば、シランカップリング剤を用いて基板１０Ａ上を表面処理することによって垂直配向膜４１を形成してもよい。シランカップリング剤には炭素数１０以上の直鎖アルキル基が含まれており、このシランカップリング剤によって表面処理を行うことで、画素電極９上をアルキル基で修飾することができる。炭素数１０以上の直鎖アルキル基によって垂直配向能が付与され、垂直配向膜６１上の液晶５１を実質的に垂直配向させることができる。
【００８７】
また、インクジェット法を用いて、垂直配向膜４１の材料を水平配向膜４２から露出する画素電極９上に吐出することで、垂直配向膜４１を選択的に形成するようにしてもよい。この場合、例えば図１６に示すように、水平配向膜４２（図中のハッチング部分）によって区画された領域（垂直配向膜４１の形成領域）に、配向膜材料を吐出する。
【００８８】
また、上記実施形態では垂直配向膜４１を形成した後に水平配向膜４２を形成したが、成膜する順番を逆にしても良い。例えば、真空プロセスにより無機材料を電極表面に付着させて基板１０Ａ上の画素電極９を覆う無機膜を成膜し、フォトプロセスを経て、水平配向膜４２を形成する部分をエッチングにより除去する。このように、無機膜をパターニングすることで垂直配向膜４１を形成した後、インクジェット法を用いて、水平配向膜４２間を埋めるように水平配向膜４２の材料を選択的に吐出し、水平配向膜４２を形成するようにしてもよい。
【００８９】
また、共通垂直配向膜６１を形成する他の方法としては、例えば、シランカップリング剤を用いて共通電極２１上を表面処理することによって共通垂直配向膜６１を形成してもよい。この場合、炭素数１０以上の直鎖アルキル基を含むシランカップリング剤によって表面処理を行うことで、共通電極２１上をアルキル基で修飾することができる。炭素数１０以上の直鎖アルキル基によって垂直配向能が付与され、垂直配向膜６１上の液晶５１を実質的に垂直配向させることができる。また、塗布プロセス以外にも、真空プロセスによって無機材料を共通電極２１上に付着させることで垂直配向膜６１を成膜してもよい。
【００９０】
なお、いずれの場合においても、図９及び図１０に示すように、共通電極２１の各角部が共通垂直配向膜６１から露出する形状となるように、予め共通電極２１の各角部をマスクで覆っておくか、あるいは後からエッチングを施すようにしてもよい。
【００９１】
また、液晶装置の他の実施形態として、図１７に示すように第２基板２０側に遮光膜１３を設けてもよい。この場合、遮光膜１３をマスクにして第１基板１０上に水平配向膜４２をパターン形成するという上記実施形態とは異なり、例えばインクジェット法を用いて垂直配向膜４１及び水平配向膜４２をそれぞれ選択的に形成する。このとき、第２基板２０側の遮光膜１３に対応した遮光領域ＢＭ内に収まるように水平配向膜４２を形成した後、該水平配向膜４２で囲まれた領域（露出した画素電極９の表面）を埋めるようにして垂直配向膜４１を形成してもよい。また、その成膜順を逆にしてもよい。なお、第２基板２０側の共通垂直配向膜６１は、上記した方法のいずれかを用いて形成する。
【００９２】
［電子機器］
上記実施の形態の液晶装置を備えた電子機器の例について説明する。
図１８（ａ）は、携帯電話の一例を示した斜視図である。図１８（ａ）において、符号５００は携帯電話本体を示し、符号５０１は上記実施形態の液晶装置を用いた液晶表示部を示している。
【００９３】
図１８（ｂ）は、ワープロ、パソコンなどの携帯型情報処理装置の一例を示した斜視図である。図１８（ｂ）において、符号６００は情報処理装置、符号６０１はキーボードなどの入力部、符号６０３は情報処理装置本体、符号６０２は上記実施形態の液晶装置を用いた液晶表示部を示している。
【００９４】
図１８（ｃ）は、腕時計型電子機器の一例を示した斜視図である。図１８（ｃ）において、符号７００は時計本体を示し、符号７０１は上記実施形態の液晶装置を用いた液晶表示部を示している。
【００９５】
このように図１８に示す電子機器は、表示部に上述の本発明の一例たる液晶装置を適用したものであるので、高コントラストで、かつ表示品質が高い表示装置となる。
【００９６】
［投射型表示装置］
次に、上記実施形態の液晶装置を光変調手段として備えた投射型表示装置（プロジェクタ）の構成について、図１９を参照して説明する。図１９は、上記実施形態の液晶装置を光変調装置として用いた投射型表示装置の要部を示す概略構成図である。図１９において、８１０は光源、８１３、８１４はダイクロイックミラー、８１５、８１６、８１７は反射ミラー、８１８は入射レンズ、８１９はリレーレンズ、８２０は出射レンズ、８２２、８２３、８２４は液晶光変調装置、８２５はクロスダイクロイックプリズム、８２６は投写レンズを示す。
【００９７】
光源８１０はメタルハライド等のランプ８１１とランプの光を反射するリフレクタ８１２とからなる。青色光、緑色光反射のダイクロイックミラー８１３は、光源８１０からの光束のうちの赤色光を透過させるとともに、青色光と緑色光とを反射する。透過した赤色光は反射ミラー８１７で反射されて、上述の本発明の一例たる液晶装置を備えた赤色光用液晶光変調装置８２２に入射される。
【００９８】
一方、ダイクロイックミラー８１３で反射された色光のうち緑色光は緑色光反射のダイクロイックミラー８１４によって反射され、上述の本発明の一例たる液晶装置を備えた緑色光用液晶光変調装置８２３に入射される。なお、青色光は第２のダイクロイックミラー８１４も透過する。青色光に対しては、光路長が緑色光、赤色光と異なるのを補償するために、入射レンズ８１８、リレーレンズ８１９、出射レンズ８２０を含むリレーレンズ系からなる導光手段８２１が設けられ、これを介して青色光が上述の本発明の一例たる液晶装置を備えた青色光用液晶光変調装置８２４に入射される。
【００９９】
各光変調装置により変調された３つの色光はクロスダイクロイックプリズム８２５に入射する。このプリズムは４つの直角プリズムが貼り合わされ、その内面に赤光を反射する誘電体多層膜と青光を反射する誘電体多層膜とが十字状に形成されている。これらの誘電体多層膜によって３つの色光が合成されて、カラー画像を表す光が形成される。合成された光は、投写光学系である投写レンズ８２６によってスクリーン８２７上に投写され、画像が拡大されて表示される。
【０１００】
上記構造を有する投射型表示装置は、上述の本発明の一例たる液晶装置を備えたものであるので、例えばラビング処理を施したときのようなラビング筋が表示される不具合がなく、高コントラストで、かつ表示品質が高い表示装置となる。
【図面の簡単な説明】
【０１０１】
【図１】本発明に係る透過型液晶装置の等価回路図。
【図２】透過型液晶装置の表示部要部を平面視した模式図。
【図３】図２のＸ−Ｘ線断面図。
【図４】電圧を印加したときの液晶の配向を模式的に示す図。
【図５】本発明に係る液晶装置の製造方法の説明図。
【図６】本発明に係る液晶装置の製造方法の説明図。
【図７】本発明に係る液晶装置の製造方法の説明図。
【図８】透過型液晶装置の要部断面図。
【図９】第２基板側の構成を平面視した模式図。
【図１０】透過型液晶装置の角部の断面図。
【図１１】電圧を印加したときの液晶の配向を経時的に示す模式図。
【図１２】１／４波長板及び偏光板の光学軸の配置を示す図。
【図１３】偏光板クロスニコル状態の液晶装置（１／４波長板なし）において、電圧印加時での一画素における液晶分子のダイレクタ分布を示す斜視図(シミュレーション)。
【図１４】図１３における液晶装置の光透過の様子(クロスニコル下)を示す図。
【図１５】本実施形態における液晶装置（１／４波長板あり）の電圧印加状態での一画素における光透過の様子(クロスニコル下)を示す図。
【図１６】液晶装置の他の製造方法を示す説明図。
【図１７】本発明に係る液晶装置の他の実施形態を示す断面図。
【図１８】本発明に係る電子機器について幾つかの例を示す斜視図。
【図１９】本発明に係る投射型表示装置についての一例を示す図。
【符号の説明】
【０１０２】
１・・・透過型液晶装置（液晶装置）、９・・・画素電極、１０・・・第１基板、１３・・・遮光膜、２０・・・第２基板、２１・・・共通電極、４１、６１・・・第１の配向膜（垂直配向膜）、４２・・・第２の配向膜（水平配向膜）、Ａ１・・・第１のエリア、Ａ２・・・第２のエリア、Ｐ・・・画素領域（画素開口部）、ＢＭ・・・遮光領域、ＵＶ・・・紫外線
【図１】
2008233891.tif 000003
【図２】
2008233891.tif 000004
【図３】
2008233891.tif 000005
【図４】
2008233891.tif 000006
【図５】
2008233891.tif 000007
【図６】
2008233891.tif 000008
【図７】
2008233891.tif 000009
【図８】
2008233891.tif 000010
【図９】
2008233891.tif 000011
【図１０】
2008233891.tif 000012
【図１１】
2008233891.tif 000013
【図１２】
2008233891.tif 000014
【図１３】
2008233891.tif 000015
【図１４】
2008233891.tif 000016
【図１５】
2008233891.tif 000017
【図１６】
2008233891.tif 000018
【図１７】
2008233891.tif 000019
【図１８】
2008233891.tif 000020
【図１９】
2008233891.tif 000021